(57)【要約】【課題】途中に別の番組が挿入されるような番組構成の場合に、途中に挿入される番組を除いた形の予約を容易に行える電子番組ガイドを備えた受信装置を提供する。【解決手段】ステップＳ１８０では、ＲＡＭ１３に記憶された電子番組ガイド情報の中から、予約した番組と関連の近い番組を抽出し、続くステップＳ１９０では、予約した番組の前後に、予約した番組と関連の近い番組があるか否かを判断し、ある場合は、ステップＳ２００に進み、そうでない場合は、ステップＳ１２０に進む。ステップＳ２００では、予約した番組と関連の近い番組を予約するかどうかの選択を促す画面を表示する。【選択図】図３
2007150734.tif 000002
【特許請求の範囲】
【請求項１】
番組名と放送時刻と番組解説とを有する電子番組ガイド情報を受信する電子番組ガイド情報受信機能と、
予約する番組を指定する予約情報を入力する入力機能と、
電子番組ガイド情報と予約情報とを記憶する記憶機能と、
映像信号を出力する映像処理機能と、
前記電子番組ガイド情報受信機能と入力機能と記憶機能と映像処理機能とを制御する制御機能とを備え、
前記制御機能は、前記記憶機能によって記憶された電子番組ガイド情報の映像信号を前記映像処理機能によって出力させるとともに、前記入力機能によって予約する番組を指定する予約情報が入力された際に、この予約情報を記憶機能によって記憶させる電子番組ガイドを備えた受信装置であって、
前記制御機能は、入力機能によって予約情報が入力された際に、この入力された予約情報が指定する予約する番組と関連の近い番組を、前記記憶手段に記憶された電子番組ガイド情報の中で検索し、この入力された予約情報が指定する予約する番組を基準に予め定めた番組数だけ前の番組から予め定めた番組数だけ後の番組までの範囲内に、関連の近い番組があった場合に、この関連の近い番組を指定する情報の映像信号を映像信号処理機能によって出力させるとともに、前記入力機能によってこの関連の近い番組を指定する予約情報が入力された際に、この関連の近い番組の予約情報を記憶機能によって記憶させることを特徴とする電子番組ガイドを備えた受信装置。
【請求項２】
前記入力された予約情報が指定する予約する番組と、番組解説が同じである番組及び番組解説が似ている番組を関連の近い番組とすることを特徴とする請求項１に記載の電子番組ガイドを備えた受信装置。
【請求項３】
前記入力された予約情報が指定する予約する番組と、番組名が同じである番組及び番組名が似ている番組を関連の近い番組とすることを特徴とする請求項１に記載の電子番組ガイドを備えた受信装置。
【請求項４】
前記入力された予約情報が指定する予約する番組と、番組名が同じである番組及び番組名が似ている番組のうちで送信している放送局が同じである番組を関連の近い番組とすることを特徴とする請求項１に記載の電子番組ガイドを備えた受信装置。
【発明の詳細な説明】
【技術分野】
【０００１】
本発明は、電子番組ガイド（ＥＰＧ：Ｅｌｅｃｔｒｏｎｉｃ  Ｐｒｏｇｒａｍ  Ｇｕｉｄｅ）を備えた受信装置に関し、詳しくは、電子番組ガイドを使用して視聴予約を行うテレビジョン受像機や、録画予約を行うＤＶＤデコーダ、ＨＤＤデコーダ、ビデオテープレコーダ等の録画機器に関するものである。
【背景技術】
【０００２】
電子番組ガイド（ＥＰＧ：Ｅｌｅｃｔｒｏｎｉｃ  Ｐｒｏｇｒａｍ  Ｇｕｉｄｅ）は、番組名、放送時刻、番組解説（出演者、番組のあらすじ、等）の電子番組ガイド情報を受信し、これを画面上に表示させることで、番組の選択、視聴予約、録画予約を容易に行うものである。
【０００３】
特許文献１は、電子番組ガイドを使用して、毎週又は毎日の連続した予約を行う技術を開示している。具体的には、或る指定された番組と、同じ番組名、同じチャンネル番号、同じ曜日又は同じ時刻に放送される番組を連続予約の対象とするものである。この技術によれば、毎週又は毎日決まった時刻に放送される番組を１回の予約操作によって、予約設定を行うことが可能となる。
【０００４】
特許文献２は、電子番組ガイド情報の中から、あらかじめユーザが入力したキーワードを含む番組を検索し、検出された番組を自動的に録画予約する技術が開示されている。この技術によれば、一度キーワードを入力すれば、そのキーワードを含む複数の番組をまとめて録画予約することが可能となる。
【０００５】
【特許文献１】特開２００１−３６８４６号公報
【特許文献２】特開平１１−１８７３２８号公報
【発明の開示】
【発明が解決しようとする課題】
【０００６】
放送時間の長い番組では、途中に別の番組が挿入されることがある。図４（ａ）は、アメリカンフットボールの試合の放送において、各クォーターの間に短いニュース番組が挿入されている例である。このような場合、多くのユーザは、全クォーターは視聴したいが、途中のニュース番組は視聴したくないものである。特に、録画予約の場合、記録媒体の使用量を考慮すれば、視聴したくないものは、できる限り録画されないようにしたいものである。
【０００７】
従来、図４（ａ）のような場合の録画予約は、途中に挿入されたニュース番組が録画されないようにするため、予約設定を複数回行う必要があり、大変煩わしいという問題があった。このような放送は、毎週又は毎日繰り返されるものではないため、特許文献１に開示された技術を使用したとしても、この問題は解決されるものではなかった。また、同じキーワードを含む別の番組が存在する可能性があるため、特許文献２に開示された技術を使用したとしても、この問題は解決されるものではなかった。
【０００８】
本発明は、上述の問題点に鑑みてなされたものであり、初めに予約した番組と関連の近い番組を予約候補として表示させて、予約を設定させることで、途中に別の番組が挿入された場合においても容易に予約を行える電子番組ガイドを備えた受信装置を提供することを目的とする。
【課題を解決するための手段】
【０００９】
請求項１に記載の電子番組ガイドを備えた受信装置は、番組名と放送時刻と番組解説とを有する電子番組ガイド情報を受信する電子番組ガイド情報受信機能と、予約する番組を指定する予約情報を入力する入力機能と、電子番組ガイド情報と予約情報とを記憶する記憶機能と、映像信号を出力する映像処理機能と、前記電子番組ガイド情報受信機能と入力機能と記憶機能と映像処理機能とを制御する制御機能とを備え、前記制御機能は、前記記憶機能によって記憶された電子番組ガイド情報の映像信号を前記映像処理機能によって出力させるとともに、前記入力機能によって予約する番組を指定する予約情報が入力された際に、この予約情報を記憶機能によって記憶させる電子番組ガイドを備えた受信装置であって、前記制御機能は、入力機能によって予約情報が入力された際に、この入力された予約情報が指定する予約する番組と関連の近い番組を、前記記憶手段に記憶された電子番組ガイド情報の中で検索し、この入力された予約情報が指定する予約する番組を基準に予め定めた番組数だけ前の番組から予め定めた番組数だけ後の番組までの範囲内に、関連の近い番組があった場合に、この関連の近い番組を指定する情報の映像信号を映像信号処理機能によって出力させるとともに、前記入力機能によってこの関連の近い番組を指定する予約情報が入力された際に、この関連の近い番組の予約情報を記憶機能によって記憶させることを特徴とする。
【００１０】
請求項１に記載の電子番組ガイドを備えた受信装置によれば、入力された予約情報が指定する予約する番組と関連の近い番組が自動的に表示されるため、これらの番組の予約を容易に行うことができる。
【００１１】
請求項２に記載の電子番組ガイドを備えた受信装置は、請求項１において、前記入力された予約情報が指定する予約する番組と、番組解説が同じである番組及び番組解説が似ている番組を関連の近い番組とすることを特徴とする。
【００１２】
請求項２に記載の電子番組ガイドを備えた受信装置によれば、入力された予約情報が指定する予約する番組と、番組解説が同じである番組及び番組解説が似ている番組が自動的に表示されるため、これらの番組の予約を容易に行うことができる。
【００１３】
請求項３に記載の電子番組ガイドを備えた受信装置は、請求項１において、前記入力された予約情報が指定する予約する番組と、番組名が同じである番組及び番組名が似ている番組を関連の近い番組とすることを特徴とする。
【００１４】
請求項３に記載の電子番組ガイドを備えた受信装置によれば、入力された予約情報が指定する予約する番組と、番組名が同じである番組及び番組名が似ている番組が自動的に表示されるため、これらの番組の予約を容易に行うことができる。
【００１５】
請求項４に記載の電子番組ガイドを備えた受信装置は、請求項１において、前記入力された予約情報が指定する予約する番組と、番組名が同じである番組及び番組名が似ている番組のうちで送信している放送局が同じである番組を関連の近い番組とすることを特徴とする。
【００１６】
請求項４に記載の電子番組ガイドを備えた受信装置によれば、入力された予約情報が指定する予約する番組と、番組名が同じである番組及び番組名が似ている番組のうちで送信している放送局が同じである番組が自動的に表示されるため、これらの番組の予約を容易に行うことができる。
【発明の効果】
【００１７】
本発明によれば、入力された予約情報が指定する予約する番組と関連の近い番組が自動的に表示されるため、これらの番組の予約を容易に行う電子番組ガイドを備えた受信装置を提供することができる。更に、途中に別の番組が挿入されるような番組構成の場合に、必要な番組の予約を、途中に挿入される番組を除いた形で容易に行う電子番組ガイドを備えた受信装置を提供することができる。
【発明を実施するための最良の形態】
【００１８】
本発明の実施の形態を、図面を参照して説明する。なお、以下の実施例は本発明の具体例に過ぎず、本発明が以下の実施形態に限定されるものではない。
【００１９】
図１は、本実施例の受信装置の構成を示すブロック図である。電子番組ガイドを備えた受信装置１は、受信部１０、分離部１１、ＥＰＧ復号部１２、ＲＡＭ１３、制御部１４、リモコン受光部１５、復調部１６、ＯＳＤ処理部１７、映像処理部１８、エンコーダ１９、デコーダ２０、音声処理部２１、ディスク装置２２を備える。
【００２０】
受信部１０は、アンテナ４からの信号を受信する。分離部１１は、受信部１０で受信した信号から、電子番組ガイド情報を含む信号を分離する。ＥＰＧ復号部１２は、受信部１０で分離された電子番組ガイド情報を含む信号から、電子番組ガイド情報を復号する。ＲＡＭ１３は、ＥＰＧ復号部１２で復号された電子番組ガイド情報と予約情報を記憶する。制御部１４は、受信装置１に備えられた各部を制御する。リモコン受光部１５は、リモコン３から送信された制御信号を受信する。復調部１６は、受信した信号を復調して映像信号と音声信号を出力する。ＯＳＤ処理部１７は、ＯＳＤ処理を行う（ＯＳＤ処理の必要のない場合は、入力された映像信号をそのまま通す）。映像処理部１８は、入力された映像信号を出力する。エンコーダ１９は、映像信号と音声信号をディスク装置２２に記録可能なデータに変換する。デコーダ２０は、ディスク装置２２に記録されたデータを映像信号と音声信号に変換する。音声処理部２１は、音声信号を出力する。ディスク装置２２は、映像と音声を記録する。
【００２１】
図２は、リモコン３を示す図である。ＥＰＧボタン３１を押下すると、番組表を表示される。方向ボタン（上方向ボタン３２ａ、右方向ボタン３２ｂ、下方向ボタン３２ｃ、左方向ボタン３２ｄ）は、押下した方向にカーソルを移動させたり、選択箇所を移動させたりする。決定ボタン３３を押下すると、その時点で選択された項目や状態に決定する。
【００２２】
本実施例においては、受信部１０と分離部１１とＥＰＧ復号部１２によって、電子番組ガイド情報を受信する電子番組ガイド情報受信機能を実現する。また、リモコン３とリモコン受光部１５によって、予約する番組を指定する予約情報を入力する入力機能を実現する。また、ＲＡＭ１３によって、電子番組ガイド情報と予約情報とを記憶する記憶機能を実現する。また、映像処理部１８によって、映像信号を出力する映像処理機能を実現する。また、制御部１４によって、制御機能を実現する。
【００２３】
図３は、本実施例の処理の流れを示すフローチャートである。受信装置の電源が入ると、このフローチャートに示される処理は開始される。この処理の流れの制御は、制御部１４が行う。
【００２４】
ステップＳ１１０では、制御部１４は、番組表（例を図４（ａ）に示す）が表示されているか否かを判断する。リモコン３のＥＰＧボタン３１が押下され、番組表が表示されている場合は、ステップＳ１２０に進み、そうでない場合は、ステップＳ１１０に進む。
【００２５】
ステップＳ１２０では、制御部１４は、番組が選択されたか否かを判断する。方向ボタンを使用して番組を移動し、決定ボタン３３を押下して、番組が選択された場合は、ステップＳ１３０に進み、そうでない場合は、ステップＳ１４０に進む。
【００２６】
ステップＳ１３０では、ＯＳＤ処理部１７及び映像処理部１８によって、選択された番組の詳細情報（図４（ｂ）に示す）を表示し、ステップＳ１５０に進む。
【００２７】
ステップＳ１５０では、制御部１４は、予約が設定されたかを判断する。図４（ｂ）の左側の「視聴予約する」、「録画予約する」、「番組表に戻る」、「番組表を終わる」の選択項目で、方向ボタンを使用して移動し、決定ボタン３３を押下して、「視聴予約する」又は「録画予約する」が選択された場合は、ステップＳ１６０に進み、そうでない場合は、ステップＳ１７０に進む。
【００２８】
ステップＳ１６０では、制御部１４は、選択された番組を予約し、「予約しました」の表示をしてから消し、ステップＳ１８０に進む。ここで、選択された番組の情報がＲＡＭ１３に記憶され、ＯＳＤ処理部１７と映像処理部１８によって「予約しました」という表示が短時間行われる。
【００２９】
ステップＳ１８０では、制御部１４は、ＲＡＭ１３に記憶された電子番組ガイド情報の中から、予約した番組と関連の近い番組を抽出し、ステップＳ１９０に進む。
【００３０】
ステップＳ１９０では、制御部１４は、予約した番組の前後に、予約した番組と関連の近い番組があるか否かを判断し、ある場合は、ステップＳ２００に進み、そうでない場合は、ステップＳ１２０に進む。
【００３１】
ステップＳ２００では、制御部１４は、ＯＳＤ処理部１７と映像処理部１８によって、予約した番組と関連の近い番組を予約するかどうかの選択を促す画面（図５（ａ）又は図５（ｂ）に示す）を表示し、ステップＳ２１０に進む。ここで、図５（ａ）は、関連の近い番組が１つの場合の画面、図５（ｂ）は、関連の近い番組が２つの場合の画面の例であり、ともに、方向ボタンで選択箇所を移動し、決定ボタン３３で決定することで、予約の設定を行う。
【００３２】
ステップＳ２１０では、制御部１４は、「予約する」が選択されたか否かを判断し、「予約する」が選択された場合は、ステップＳ２２０に進み、そうでない場合は、ステップＳ１２０に進む。
【００３３】
ステップＳ２２０では、制御部１４は、選択された番組を予約し、「予約しました」の表示をしてから消し、ステップＳ１２０に進む。ここで、選択された番組の情報がＲＡＭ１３に記憶され、ＯＳＤ処理部１７と映像処理部１８によって「予約しました」という表示が短時間行われる。
【００３４】
ステップＳ１４０では、制御部１４は、「番組表を終わる」が選択されたか否かを判断して、「番組表を終わる」が選択された場合は、ステップＳ２４０に進み、そうでない場合は、ステップＳ１２０に進む。
【００３５】
ステップＳ１７０では、制御部１４は、「番組表に戻る」が選択されたか否かを判断して、「番組表に戻る」が選択された場合は、ステップＳ１２０に進み、そうでない場合は、ステップＳ２３０に進む。
【００３６】
ステップＳ２３０では、制御部１４は、「番組表を終わる」が選択されたか否かを判断して、「番組表を終わる」が選択された場合は、ステップＳ２４０に進み、そうでない場合は、ステップＳ１５０に進む。
【００３７】
ステップＳ２４０では、制御部１４は、番組表の表示を消し、エンドに進む。
【００３８】
ここで、関連の近い番組の抽出は、予約する番組を基準に予め定めた番組数だけ前の番組から予め定めた番組数だけ後の番組までの範囲内に、予約した番組と、番組名が同じあったり、番組名の最初の３文字が同じであったり、番組名に同じ単語を含んだりするものを抽出することで実現できる。
【００３９】
以上述べたように、本発明では、入力された予約情報が指定する予約する番組と関連の近い番組が自動的に表示されるため、これらの番組の予約を容易に行う電子番組ガイドを備えた受信装置を提供することができる。更に、途中に別の番組が挿入されるような番組構成の場合に、必要な番組の予約を、途中に挿入される番組を除いた形で容易に行う電子番組ガイドを備えた受信装置を提供することができる。
【００４０】
なお、関連の近い番組の抽出は、予約した番組と放送局が同じであるものに限定して表示しても良いし、同じジャンルのものに限定して表示しても良いし、同じ放送形式（ステレオ放送、二ヶ国語放送、字幕放送、吹き替え放送、文字多重放送、データ放送、双方向放送、等）のものに限定して表示しても良い。
【００４１】
また、関連の近い番組の抽出は、連続番組と思われる表示（「第一部」、「第二部」、「前半」、「後半」、「前編」、「後編」、「第１話」、「（１）」、「（２）」、「１／５」、「２／５」、「最終回」、等）があるものを抽出しても良い。
【００４２】
また、関連の近い番組の抽出は、予約した番組と放送時間（１５分番組、３０分番組、等）が同じである番組や、同じ出演者が含まれる番組を抽出しても良い。
【００４３】
また、関連の近い番組の表示の際に、図５（ｃ）のように、関連度を併せて表示しても良い。
【図面の簡単な説明】
【００４４】
【図１】実施例の構成を示すブロック図である。
【図２】実施例のリモコンを示す図である。
【図３】実施例の処理の流れを示すフローチャートである。
【図４】電子番組ガイドによって表示される番組表及び実施例の予約設定において画面に表示される内容を示す説明図である。
【図５】実施例の予約設定において画面に表示される内容を示す説明図である。
【符号の説明】
【００４５】
１  受信装置
４  アンテナ
１１  分離部
１２  ＥＰＧ復号部
１３  ＲＡＭ
１４  制御部
【図１】
2007150734.tif 000003
【図２】
2007150734.tif 000004
【図３】
2007150734.tif 000005
【図４】
2007150734.tif 000006
【図５】
2007150734.tif 000007